(57)【特許請求の範囲】
【請求項１】
サーバー装置と、医用画像表示装置とを備えた医用画像診断システムであって、
前記サーバー装置は、
医用画像データの読影依頼に基づいて、複数の選択候補を含んだオブジェクトを生成し、生成した前記オブジェクトと前記医用画像データとを前記医用画像表示装置に送信して表示させる第１生成部と、
前記医用画像表示装置から受信した、選択された選択候補を用いて読影結果を生成する第２生成部とを備え、
前記医用画像表示装置は、
前記サーバー装置から受信した前記オブジェクトを表示部に表示させる表示制御部と、
前記表示部に表示させた前記オブジェクトから少なくとも一つの選択候補の選択を受付けて、選択された選択候補を前記サーバー装置に送信して応答する応答部と
を備え、
前記第１生成部は、前記オブジェクトにおいて、全ての前記選択候補が視認可能に表示されるように、前記複数の選択候補それぞれを提示する複数の領域のうち、少なくとも１つの領域の形状を変更するとともに、前記読影結果を構成し階層構造を有する複数の要素それぞれごとに複数の選択候補を提示する領域を含んだオブジェクトを上位の階層から下位の階層の順に生成して前記表示部に表示させ、表示させたオブジェクトに対する前記応答部からの応答結果に応じて、１つ下位の階層の要素についてオブジェクトを生成して前記表示部に表示させ、
前記第２生成部は、複数の要素それぞれごとに表示させたオブジェクトについて選択された選択候補を用いて読影結果を生成する、医用画像診断システム。
【請求項２】
前記第１生成部は、前記医用画像データの付帯情報及び前記読影依頼に含まれるテキスト情報のうち少なくともいずれか一つを参照して複数の選択候補と各選択候補の前記読影依頼に対する関連度とを決定し、前記関連度が高い選択候補から順に中心側から外側へと当該選択候補を提示する領域を配置して前記オブジェクトを生成する、請求項１に記載の医用画像診断システム。
【請求項３】
前記第１生成部は、円において、前記関連度が高い選択候補から順に同心円の中心側から前記同心円の外側へと当該選択候補を提示する領域を配置して前記オブジェクトを生成する、請求項２に記載の医用画像診断システム。
【請求項４】
前記第１生成部は、前記複数の選択候補を提示する領域の全てを表示範囲内に円形状で表示できない場合に、前記関連度に基づいて少なくとも１つの前記選択候補を提示する領域の形状を変形させる、請求項２又は３に記載の医用画像診断システム。
【請求項５】
前記第１生成部は、前記医用画像表示装置の操作者の指の位置により前記オブジェクトが隠れる範囲に応じて、前記選択候補を提示する領域の形状を変形させた前記オブジェクトを生成する、請求項１〜４のいずれか一つに記載の医用画像診断システム。
【請求項６】
前記複数の要素として、疾病と、前記疾病の進行状況を示す程度情報とを含み、
前記第１生成部は、前記疾病についてオブジェクトを生成して前記医用画像表示装置に表示させ、表示させたオブジェクトに対する前記応答部からの応答結果に応じて、前記疾病の進行状況を示す程度情報についてオブジェクトを生成して前記医用画像表示装置に表示させる、請求項１〜５のいずれか一つに記載の医用画像診断システム。
【請求項７】
前記第１生成部は、前記疾病に対する選択候補が１種類である場合に、前記疾病に対するオブジェクトの外側に前記程度情報に対するオブジェクトを配置した複合型のオブジェクトを生成して前記医用画像表示装置に表示させる、請求項６に記載の医用画像診断システム。
【請求項８】
疾病と前記疾病に関連する疾病とを対応付けて記憶するデータベースを更に備え、
前記付帯情報には、検査情報及び患者情報のうち少なくともいずれか一方を含み、
前記第１生成部は、前記検査情報に含まれる読影対象者の検査歴、前記患者情報に含まれる既往歴及び前記読影依頼に含まれるテキスト情報のうち少なくともいずれか一つを参照して前記データベースを検索することで、前記選択候補と前記選択候補の関連度とを決定する、請求項２〜４のいずれか一つに記載の医用画像診断システム。
【請求項９】
医用画像データの読影依頼に基づいて、複数の選択候補を含んだオブジェクトを生成し、生成した前記オブジェクトと前記医用画像データとを医用画像表示装置に表示させる第１生成部と、
前記医用画像表示装置によって選択された選択候補を用いて読影結果を生成する第２生成部と
を備え、
前記第１生成部は、前記オブジェクトにおいて、全ての前記選択候補が視認可能に表示されるように、前記複数の選択候補それぞれを提示する複数の領域のうち、少なくとも１つの領域の形状を変更するとともに、前記読影結果を構成し階層構造を有する複数の要素それぞれごとに複数の選択候補を提示する領域を含んだオブジェクトを上位の階層から下位の階層の順に生成して前記医用画像表示装置に表示させ、表示させたオブジェクトに対する前記医用画像表示装置からの応答結果に応じて、１つ下位の階層の要素についてオブジェクトを生成して前記医用画像表示装置に表示させ、
前記第２生成部は、複数の要素それぞれごとに表示させたオブジェクトについて選択された選択候補を用いて読影結果を生成する、サーバー装置。
【請求項１０】
医用画像データの読影依頼に基づいてサーバー装置によって生成された複数の選択候補を含んだオブジェクトを表示部に表示させる表示制御部と、
前記表示部に表示させた前記オブジェクトから少なくとも一つの選択候補の選択を受付けて、選択された選択候補を前記サーバー装置に応答する応答部と
を備え、
前記表示制御部は、前記オブジェクトにおいて、全ての前記選択候補が視認可能に表示されるように、前記複数の選択候補それぞれを提示する複数の領域のうち、少なくとも１つの領域の形状を変更させ、
前記サーバー装置は、
読影結果を構成し階層構造を有する複数の要素それぞれごとに複数の選択候補を提示する領域を含んだオブジェクトを上位の階層から下位の階層の順に生成して前記表示部に表示させ、表示させたオブジェクトに対する前記応答部からの応答結果に応じて、１つ下位の階層の要素についてオブジェクトを生成して前記表示部に表示させ、
複数の要素それぞれごとに表示させたオブジェクトについて選択された選択候補を用いて読影結果を生成する、
医用画像表示装置。
【請求項１１】
前記オブジェクトは、円形状で生成され、
前記表示制御部は、前記複数の選択候補を提示する領域の全てを表示範囲内に円形状で表示できない場合に、前記オブジェクトの形状を変形させる、請求項１０に記載の医用画像表示装置。
【請求項１２】
前記オブジェクトは、円形状で生成され、
前記表示制御部は、前記医用画像表示装置の操作者の指の位置により前記オブジェクトが隠れる範囲に応じて、前記選択候補を提示する領域の形状を変形させる、請求項１０に記載の医用画像表示装置。
【請求項１３】
前記表示部は、タッチパネルである、請求項１０〜１２のいずれか一つに記載の医用画像表示装置。
【発明の詳細な説明】
【技術分野】
【０００１】
本発明の実施形態は、医用画像診断システム、サーバー装置及び医用画像表示装置に関する。
【背景技術】
【０００２】
医用画像診断装置によって生成された医用画像に対して、緊急で画像診断が必要な際に、院内に検査画像を読影可能な医師が不在である場合がある。このような場合には、院外の医師に画像の確認を依頼する運用が行われている。
【先行技術文献】
【特許文献】
【０００３】
【特許文献１】特開２０１４−０３５７０１号公報
【発明の概要】
【発明が解決しようとする課題】
【０００４】
本発明が解決しようとする課題は、読影結果の作成を効率化することができる医用画像診断システム、サーバー装置及び医用画像表示装置を提供することである。
【課題を解決するための手段】
【０００５】
実施形態の医用画像診断システムは、サーバー装置と、医用画像表示装置とを備える。前記サーバー装置は、第１生成部と、第２生成部とを備える。第１生成部は、医用画像データの読影依頼に基づいて、複数の選択候補を含んだオブジェクトを生成し、生成した前記オブジェクトと前記医用画像データとを前記医用画像表示装置に送信して表示させる。第２生成部は、前記医用画像表示装置から受信した、選択された選択候補を用いて読影結果を生成する。前記医用画像表示装置は、表示制御部と、応答部とを備える。表示制御部は、前記サーバー装置から受信した前記オブジェクトを表示部に表示させる。応答部は、前記表示部に表示させた前記オブジェクトから少なくとも一つの選択候補の選択を受付けて、選択された選択候補を前記サーバー装置に送信して応答する。前記第１生成部は、前記オブジェクトにおいて、全ての前記選択候補が視認可能に表示されるように、前記複数の選択候補それぞれを提示する複数の領域のうち、少なくとも１つの領域の形状を変更する。
【図面の簡単な説明】
【０００６】
【図１】図１は、第１の実施形態に係る医用画像診断システムの構成例を示す図である。
【図２】図２は、第１の実施形態に係る医用画像診断システムにおける処理の概要を説明するための図である。
【図３】図３は、第１の実施形態に係る疾病ＤＢのデータ構造の一例を示す図である。
【図４−１】図４−１は、第１の実施形態に係る医用画像診断システムによる処理手順の一例を示すフローチャート（１）である。
【図４−２】図４−２は、第１の実施形態に係る医用画像診断システムによる処理手順の一例を示すフローチャート（２）である。
【図５】図５は、第１の実施形態に係る第１生成部によるオブジェクト生成処理の処理手順を示すフローチャートである。
【図６】図６は、第１の実施形態に係る第１生成部によって生成された疾病についてのオブジェクトの一例を示す図である。
【図７】図７は、第１の実施形態に係る第１生成部によって生成された疾病の進行状況を示す程度情報についてのオブジェクトの一例を示す図である。
【図８】図８は、第１の実施形態に係る医用画像表示装置における表示画面の一例を示す図（１）である。
【図９】図９は、第１の実施形態に係る医用画像表示装置における表示画面の一例を示す図（２）である。
【図１０】図１０は、第１の実施形態に係る医用画像表示装置における表示画面の一例を示す図（３）である。
【図１１】図１１は、第１の実施形態に係る医用画像表示装置における表示画面の一例を示す図（４）である。
【図１２】図１２は、複数の選択候補の全てを円形で表示できない一例を示す図である。
【図１３】図１３は、第１の実施形態の変形例を説明するための図（１）である。
【図１４】図１４は、第１の実施形態の変形例を説明するための図（２）である。
【図１５】図１５は、第１の実施形態の変形例を説明するための図（３）である。
【発明を実施するための形態】
【０００７】
以下、図面を参照して、実施形態に係る医用画像診断システム、サーバー装置及び医用画像表示装置を説明する。なお、実施形態は、以下の実施形態に限られるものではない。また、一つの実施形態に記載した内容は、原則として他の実施形態にも同様に適用される。
【０００８】
（第１の実施形態）
図１は、第１の実施形態に係る医用画像診断システムの構成例を示す図である。図１に示すように、第１の実施形態に係る医用画像診断システムは、医用画像診断装置１００と、医用画像保管装置２００と、依頼者側端末装置３００と、医用画像表示装置４００と、サーバー装置５００とを備える。医用画像診断装置１００と、医用画像保管装置２００と、依頼者側端末３００とが、例えば院内ＬＡＮ（Local  Area  Network）６００を介して互いに通信可能に接続される。また、医用画像表示装置４００と、サーバー装置５００と、院内ＬＡＮ６００で接続される各装置とが、ＬＡＮなどのネットワーク７００を介して互いに通信可能に接続される。
【０００９】
医用画像診断装置１００は、例えば、Ｘ線診断装置、Ｘ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群等である。そして、医用画像診断装置１００は、それぞれの操作者の操作に応じて、被検体から信号を取得し、医用画像データを生成する。
【００１０】
なお、医用画像診断装置１００は、生成した医用画像データを画像保管装置２００に送信するようにしてもよい。かかる場合、医用画像診断装置１００は、医用画像データに付帯情報を付与したＤＩＣＯＭ（Digital  Imaging  and  Communication  in  Medicine）形式の医用画像データを医用画像保管装置２００に送信する。ここで、医用画像診断装置１００は、付帯情報として、例えば、患者を識別する患者ＩＤ（Identifier）、検査を識別する検査ＩＤ、医用画像診断装置１００を識別する装置ＩＤ、医用画像診断装置１００による１回の撮影を識別するシリーズＩＤなどを付与する。
【００１１】
医用画像保管装置２００は、医用画像診断装置１００によって撮像された医用画像データを保管する。ここで、医用画像保管装置２００が保管する医用画像データは、ＤＩＣＯＭ形式の医用画像データである。
【００１２】
依頼者側端末装置３００は、例えば、ＰＣ（Personal  Computer）などであり、院内にいる医師などによって使用される。医用画像表示装置４００は、例えば、タブレットなどの携帯端末であり、院外にいる読影医によって使用される。なお、医用画像表示装置４００は、タッチパネル型の表示部４０３を有する。
【００１３】
ところで、医用画像診断装置１００によって生成された医用画像データに対して、緊急で画像診断が必要な際に、院内に検査画像を読影可能な医師が不在である場合がある。このような場合には、院外の医師に画像の確認を依頼する運用が行われている。例えば、院内の医師は、依頼者側端末装置３００を使用して、例えば医用画像保管装置２００から医用画像データを取得し、院外の医師が所有する医用画像表示装置４００へ取得した医用画像データを送信する。そして、医用画像表示装置４００を使用する院外の医師は、医用画像データを読影して読影結果を院内の依頼者へ返却する。
【００１４】
ここで、医用画像表示装置４００の操作者は、医用画像表示装置４００への文字入力に、例えば、ソフトウェアキーボードで所見を入力可能である。しかしながら、医用画像表示装置４００の操作者は、ソフトウェアキーボードを用いた場合、医用画像表示装置４００の画面サイズなどの制約が多く、効率的な入力ができない場合がある。また、医用画像表示装置４００の操作者は、ソフトウェアキーボードで所見を入力すると、医用画像データの一部がソフトウェアキーボードで隠れてしまい、正確な読影を妨げられる場合がある。
【００１５】
このようなことから、第１の実施形態に係る医用画像診断システムでは、サーバー装置５００は、読影結果の作成を効率化するために以下の処理を実行する。すなわち、サーバー装置５００は、医用画像データの読影依頼に基づいて、複数の選択候補を含んだオブジェクトを生成し、生成したオブジェクトと読影対象である医用画像データとを医用画像表示装置４００に表示させる。そして、サーバー装置５００は、医用画像表示装置４００によって選択された選択候補を用いて読影結果を生成する。図２は、第１の実施形態に係る医用画像診断システムにおける処理の概要を説明するための図である。なお、図２では、急性気管支炎の疑いがある医用画像データについて読影が依頼された場合を例に説明する。
【００１６】
例えば、医用画像表示装置４００は、医用画像データの読影依頼に基づいてサーバー装置５００によって生成された複数の選択候補を含んだオブジェクトを表示部４０３に表示させる。図２の上段は、第１の実施形態に係る医用画像表示装置４００の表示部４０３に表示させた疾病についてのオブジェクトの一例を示す図である。
【００１７】
図２の上段に示すように、表示部４０３には、医用画像データ２ａと、オブジェクト２ｂとが表示される。ここで、医用画像データ２ａは例えば、胸部Ｘ線画像である。また、オブジェクト２ｂには、複数の選択候補として「急性気管支炎」、「慢性気管支炎」、「気管支炎」及び「肺炎」が含まれる。
【００１８】
続いて、医用画像表示装置４００は、表示部４０３に表示させたオブジェクトから少なくとも一つの選択候補の選択を受付けて、選択された選択候補をサーバー装置５００に応答する。例えば、図２の上段に示す例では、医用画像表示装置４００の操作者の指２ｃが、「急性気管支炎」を選択した場合を示す。医用画像表示装置４００は、選択した「急性気管支炎」をサーバー装置５００に送信して応答する。この結果、サーバー装置５００は、応答結果である「急性気管支炎」に応じたオブジェクトを生成して医用画像表示装置４００に表示させる。
【００１９】
図２の中段は、第１の実施形態に係る医用画像表示装置４００の表示部４０３に表示させた疾病の進行状況についてのオブジェクトの一例を示す図である。例えば、図２の中段に示すように、表示部４０３には、医用画像データ２ａと、オブジェクト２ｄとが表示される。ここで、オブジェクト２ｄには、複数の選択候補として「疑い」及び「確定」が含まれる。そして、医用画像表示装置４００は、表示部に表示させたオブジェクトから少なくとも一つの選択候補の選択を受付けて、選択された選択候補をサーバー装置５００に応答する。例えば、図２の中段に示す例では、医用画像表示装置４００の操作者の指２ｃが、「疑い」を選択した場合を示す。医用画像表示装置４００は、選択した「疑い」をサーバー装置５００に送信して応答する。
【００２０】
この結果、サーバー装置５００は、応答結果である「急性気管支炎」及び「疑い」を用いて、読影結果として例えば、「急性気管支炎の疑いあり」を生成する。そして、サーバー装置５００は、生成した読影結果を医用画像表示装置４００に送信する。図２の下段は、第１の実施形態に係る医用画像表示装置４００の表示部４０３に表示させた読影結果の一例を示す図である。例えば、図２の下段に示すように、表示部４０３には、医用画像データ２ａと、読影結果２ｅとして「急性気管支炎の疑いあり」とが表示される。
【００２１】
このように、第１の実施形態に係る医用画像診断システムでは、サーバー装置５００が生成したオブジェクトを医用画像表示装置４００に表示させる。そして、医用画像表示装置４００の操作者は、ソフトウェアキーボードで所見を入力するのではなく、複数の選択候補を含んだオブジェクトの中から、読影によって適切な選択候補を例えばタッチ操作で選択する。この選択結果に応じて、サーバー装置５００は、読影結果を生成する。このように、第１の実施形態に係る医用画像診断システムによれば、読影結果の作成を効率化することが可能となる。
【００２２】
引き続き図１を用いて、医用画像表示装置４００及びサーバー装置５００の構成について詳細に説明する。図１に示すように、医用画像表示装置４００は、記憶部４０１と、通信部４０２と、表示部４０３と、制御部４１０とを備える。記憶部４０１は、例えば、半導体メモリ素子又はハードディスク等の記憶装置であり、医用画像表示装置４００による各種処理を行うための制御プログラムを記憶する。
【００２３】
通信部４０２は、例えば、ＬＡＮカード等の通信インターフェースであり、ネットワーク７００を介して他装置と各種データを送受信する。
【００２４】
表示部４０３は、例えばタッチパネルであり、読影対象である医用画像データを表示する。また、表示部４０３は、医用画像表示装置４００の操作者から各種要求の入力を受け付け、受け付けた各種要求を制御部４１０に転送する。
【００２５】
制御部４１０は、例えば、ＣＰＵ（Central  Processing  Unit）やＭＰＵ（Micro  Processing  Unit）等の電子回路であり、表示制御部４１１と、応答部４１２とを有する。表示制御部４１１は、医用画像データの読影依頼に基づいてサーバー装置５００によって生成された複数の選択候補を含んだオブジェクトを表示部４０３に表示させる。応答部４１２は、表示部４０３に表示させたオブジェクトから少なくとも一つの選択候補の選択を受付けて、選択された選択候補をサーバー装置５００に応答する。
【００２６】
サーバー装置５００は、記憶部５０１と、通信部５０２と、制御部５１０とを備える。記憶部５０１は、例えば、半導体メモリ素子又はハードディスク等の記憶装置であり、サーバー装置５００による各種処理を行うための制御プログラムを記憶する。また、記憶部５０１は、疾病ＤＢ（Data  Base）５０１ａと、患者ＤＢ５０１ｂとを有する。疾病ＤＢ５０１ａは、疾病と疾病に関連する疾病とを対応付けて記憶する。図３は、第１の実施形態に係る疾病ＤＢ５０１ａのデータ構造の一例を示す図である。
【００２７】
図３に示すように、疾病ＤＢ５０１ａは、「病名」と、「部位」と、「検査」と、「程度」と、「関連病名」とを対応付けた情報を記憶する。ここで、疾病ＤＢ５０１ａが記憶する「病名」は、疾病の種別を示す。例えば、「病名」には、「気管支炎」、「急性気管支炎」などが格納される。また、疾病ＤＢ５０１ａが記憶する「部位」は、疾病の生じる部位を示す。例えば、「部位」には、「胸部」などが格納される。
【００２８】
また、疾病ＤＢ５０１ａが記憶する「検査」は、疾病の診断に際して行われる検査を示す。例えば、「検査」には、Ｘ線診断装置により検査されることを示す「Ｘ線」、Ｘ線ＣＴ装置により検査されることを示す「ＣＴ」などが格納される。また、疾病ＤＢ５０１ａが記憶する「程度」は、疾病の進行状況を示す。例えば、「程度」には、「疑い／確定」、「Ｔ因子」などが格納される。また、疾病ＤＢ５０１ａが記憶する「関連病名」は、病名に記される疾病に関連する疾病を示す。例えば、「関連病名」には、「急性気管支炎」、「慢性気管支炎」などが格納される。
【００２９】
一例をあげると、図３に示す疾病ＤＢ５０１ａは、病名が気管支炎である場合、胸部のＸ線検査が行われることを示す。また、病名が気管支炎である場合、疾病の進行状況を示す程度として「疑い／確定」があり、関連疾病として「急性気管支炎」、「慢性気管支炎」などが含まれることを示す。同様に、図３に示す疾病ＤＢ５０１ａは、病名が肺炎である場合、胸部のＸ線検査が行われることを示す。また、病名が肺炎である場合、疾病の進行状況を示す程度として「疑い／確定」があり、関連疾病として「細菌性肺炎」、「アレルギー性肺炎」などが含まれることを示す。
【００３０】
また、患者ＤＢ５０１ｂは、患者についての情報を記憶する。例えば、患者ＤＢ５０１ｂは、患者ごとに、例えば、患者を識別する患者ＩＤと、性別と、年齢と、既往歴とを対応付けた情報を記憶する。このため、例えば、医用画像データに付帯する患者ＩＤと一致する患者ＩＤを患者ＤＢ５０１ｂから特定することで、読影対象の医用画像データを撮影された患者の性別、年齢、及び既往歴などを特定することが可能となる。
【００３１】
通信部５０２は、例えば、ＬＡＮカード等の通信インターフェースであり、ネットワーク７００を介して他装置と各種データを送受信する。
【００３２】
制御部５１０は、例えば、ＣＰＵやＭＰＵ等の電子回路であり、第１生成部５１１と、第２生成部５１２とを有する。第１生成部５１１は、医用画像データの読影依頼に基づいて、複数の選択候補を含んだオブジェクトを生成し、生成したオブジェクトと医用画像データとを医用画像表示装置４００に表示させる（図２の上段及び図２の中段を参照）。第２生成部５１２は、医用画像表示装置４００によって選択された選択候補を用いて読影結果を生成する（図２の下段を参照）。
【００３３】
続いて、図４−１及び図４−２などを用いて、図２で説明した医用画像診断システムにおける処理の詳細について説明する。図４−１及び図４−２は、第１の実施形態に係る医用画像診断システムによる処理手順の一例を示すフローチャートである。図４−１に示すように、依頼者側端末３００は、医用画像データ取得要求を医用画像保管装置２００に送信する（ステップＳ１）。そして、医用画像保管装置２００は、医用画像データ取得要求を受信し（ステップＳ２）、要求された医用画像データを依頼者側端末装置３００に送信する（ステップＳ３）。これにより、依頼者側端末装置３００は、医用画像データを受信する（ステップＳ４）。
【００３４】
依頼者側端末装置３００は、読影依頼を生成して、サーバー装置５００に読影依頼を送信する（ステップＳ５）。ここで、依頼者側端末装置３００は、読影対象の医用画像データと依頼の内容を示すテキスト情報とを含んだ読影依頼を生成する。例えば、読影を依頼する依頼者は、「肺野の出血の有無」、「動脈硬化症が疑われます。確認をお願いします。」、「急性気管支炎でしょうか？」などをテキスト情報として入力する。そして、依頼者は、このテキスト情報と読影対象の医用画像データとを含んだ読影依頼をサーバー装置５００に送信する。ここで、依頼者は、読影医が使用する医用画像表示装置４００を読影の依頼先として指定して、読影依頼をサーバー装置５００に送信する。
【００３５】
サーバー装置５００は、読影依頼を受信する（ステップＳ６）。そして、サーバー装置５００は、読影依頼に含まれるテキスト情報を解析し、キーワードを抽出する（ステップＳ７）。ここで、サーバー装置５００は、キーワードとして、例えば、疾病や読影対象部位、疾病の進行状況や確認の有無を示す用語を抽出する。一例をあげると、サーバー装置５００は、テキスト情報が「肺野の出血の有無」である場合、キーワードとして「肺野」、「出血の有無」を抽出する。また、サーバー装置５００は、テキスト情報が「動脈硬化症が疑われます。確認をお願いします。」である場合、キーワードとして「動脈硬化症」を抽出する。同様に、サーバー装置５００は、テキスト情報が「急性気管支炎でしょうか？」である場合、キーワードとして「急性気管支炎」を抽出する。なお、サーバー装置５００によるキーワード抽出はこれらの例に限定されるものではない。例えば、サーバー装置５００は、テキスト情報を形態素解析して得られる全ての単語をキーワードとして抽出してもよい。
【００３６】
続いて、サーバー装置５００は、抽出したキーワードから、回答文のテンプレート文章を生成する（ステップＳ８）。回答文のテンプレート文章は、変数部分を有し、この変数部分に含まれる複数の選択候補の中から選択候補が選択されることで読影結果となる。なお、以下では、「疾病」と「疾病の進行状況を示す程度情報」との２つの変数部分から構成される回答文のテンプレート文章を例として説明する。より具体的には、回答文のテンプレート文章として、“「疾病」は、「疾病の進行状況を示す程度情報」です。”が生成されたものとする。この場合、「疾病」について複数の選択候補の中から選択候補が選択され、「疾病の進行状況を示す程度情報」について複数の選択候補の中から選択候補が選択されることで読影結果が生成される。
【００３７】
また、サーバー装置５００は、回答文のテンプレート文章の要素の数を決定する（ステップＳ９）。ここで言う要素の数とは、回答文のテンプレート文章における変数部分の数を示し、例えば、「疾病」と「疾病の進行状況を示す程度情報」とから構成される回答文のテンプレートの場合、要素の数は２である。ここで、この回答文のテンプレート文章では、読影結果を生成する際に、「疾病」の内容が決定されると、決定された内容に応じて「疾病の進行状況を示す程度情報」が決定されることになる。言い換えると、回答文のテンプレート文章に含まれる要素間には、階層構造がある。この例における回答文のテンプレート文章では、「疾病」が上位の階層であり、「疾病の進行状況を示す程度情報」が下位の階層である。
【００３８】
そして、サーバー装置５００は、オブジェクト生成処理を実行する（ステップＳ１０）。ここで、第１生成部５１１は、読影結果を構成し階層構造を有する複数の要素ごとに複数の選択候補を含んだオブジェクトを上位の階層から下位の階層の順に生成する。例えば、第１生成部５１１は、要素として、「疾病」と「疾病の進行状況を示す程度情報」とを有する回答分のテンプレート文章が生成された場合、まず「疾病」についてオブジェクトを生成し、次に、「疾病の進行状況を示す程度情報」についてオブジェクトを生成する。図５を用いて、オブジェクト生成処理について説明する。図５は、第１の実施形態に係る第１生成部５１１によるオブジェクト生成処理の処理手順を示すフローチャートである。
【００３９】
図５では、「疾病」についてのオブジェクト生成処理を示す。第１生成部５１１は、医用画像データの付帯情報及び読影依頼に含まれるテキスト情報のうち少なくともいずれか一つを参照して複数の選択候補と各選択候補の読影依頼に対する関連度とを決定する。そして、第１生成部５１１は、関連度が高い選択候補から順に中心側から外側へと配置して「疾病」についてオブジェクトを生成する。
【００４０】
図５のステップＳ１０１からステップＳ１０５において、第１生成部５１１は、検査情報に含まれる読影対象者の検査歴、患者情報に含まれる既往歴及び読影依頼に含まれるテキスト情報のうち少なくともいずれか一方を参照して疾病ＤＢ５０１ａを検索することで、選択候補と選択候補の関連度とを決定する。なお、ここで言う関連度とは、読影依頼に対する関連度を示す。関連度は関連度Ａが最も高く、関連度Ｂ１、関連度Ｂ２、関連度Ｂ３、関連度Ｃの順で、読影依頼に対する関連度が低下する。
【００４１】
図５に示すように、第１生成部５１１は、疾病ＤＢ５０１ａを検索して、テキスト情報のキーワードと一致する疾病を関連度Ａの選択候補に決定する（ステップＳ１０１）。一例をあげると、読影依頼に含まれるテキスト情報が「急性気管支炎でしょうか？」である場合、第１生成部５１１は、図３に示す疾病ＤＢ５０１ａを検索して、「急性気管支炎」を関連度Ａの選択候補に決定する。
【００４２】
続いて、第１生成部５１１は、部位・検査が一致し、関連病名、既往歴に記載がある疾病を関連度Ｂ１の選択候補に決定する（ステップＳ１０２）。例えば、第１生成部５１１は、読影対象の医用画像データの付帯情報に含まれる患者情報を参照して、患者ＤＢ５０１ｂから既往歴のある疾病を特定する。また、第１生成部５１１は、読影対象の医用画像データの付帯情報に含まれる検査情報を参照して、疾病ＤＢ５０１ａから部位・検査が一致し、関連度Ａの選択候補を関連病名に含んだ疾病を特定する。そして、第１生成部５１１は、既往歴のある疾病であり、かつ、部位・検査が一致し、関連度Ａの選択候補を関連病名に含んだ疾病を関連度Ｂ１の選択候補に決定する。
【００４３】
一例として、「急性気管支炎」の確認を依頼されている医用画像データで、「慢性気管支炎」の既往歴がある患者の場合について説明する。かかる場合、第１生成部５１１は、部位・検査が一致し、関連度Ａの選択候補を関連病名に含んだ疾病として、図３に示す疾病ＤＢ５０１ａを検索して、「気管支炎」と「慢性気管支炎」とを特定する。そして、第１生成部５１１は、特定した「気管支炎」と「慢性気管支炎」とのうち、既往歴のある「慢性気管支炎」を関連度Ｂ１の選択候補に決定する。
【００４４】
そして、第１生成部５１１は、部位・検査が一致し、関連病名に記載がある疾病を関連度Ｂ２の選択候補に決定する（ステップＳ１０３）。例えば、第１生成部５１１は、ステップＳ１０３において、部位・検査が一致し、関連度Ａの選択候補を関連病名に含んだ疾病として特定した疾病のうち、既往歴に記載のない疾病を関連度Ｂ２の選択候補として特定する。より具体的には、第１生成部５１１は、部位・検査が一致し、関連度Ａの選択候補を関連病名に含んだ疾病として特定した「気管支炎」と「慢性気管支炎」とのうち、既往歴に記載のない「気管支炎」を関連度Ｂ２の選択候補として決定する。
【００４５】
また、第１生成部５１１は、部位・検査が一致する疾病を関連度Ｂ３の選択候補に決定する（ステップＳ１０４）。例えば、第１生成部５１１は、疾病ＤＢ５０１ａから部位・検査のみが一致する疾病を特定する。より具体的には、図３に示す疾病ＤＢ５０１ａを検索して、部位・検査のみが一致する「肺炎」を関連度Ｂ３の選択候補に決定する。
【００４６】
そして、第１生成部５１１は、部位のみが一致する疾病を関連度Ｃの選択候補として決定する（ステップＳ１０５）。例えば、第１生成部５１１は、疾病ＤＢ５０１ａから部位のみが一致する疾病を特定する。より具体的には、第１生成部５１１は、図３に示す疾病ＤＢ５０１ａを検索して、部位のみが一致する「肺癌」を関連度Ｃの選択候補に決定する。このようにして、第１生成部５１１は、例えば、医用画像データに付与された付帯情報（患者情報や検査情報）と一致する項目を含んだ疾患を疾患ＤＢ５０１ａから特定し、特定した疾患のうち、付帯情報と一致する項目数が多いものから順に関連度を高く設定する。なお、選択候補及び選択候補の関連度の決定処理は、ステップＳ１０１からステップＳ１０５の処理に示した基準に限定されるものではなく、任意に変更可能である。
【００４７】
続いて、第１生成部５１１は、関連度が高い選択候補から順に中心側から外側へと配置してオブジェクトを生成する（ステップＳ１０６）。例えば、第１生成部５１１は、円において、関連度が高い選択候補から順に同心円の中心側から同心円の外側へと配置してオブジェクトを生成する。図６は、第１の実施形態に係る第１生成部５１１によって生成された疾病についてのオブジェクトの一例を示す図である。
【００４８】
図６に示すように、第１生成部５１１は、円において同心円の中心側に最も関連度の高い選択候補（関連度Ａ）である「急性気管支炎」を配置する。そして、第１生成部５１１は、関連度Ａの選択候補を配置した円の外側に関連度Ｂ１から関連度Ｂ３の選択候補である「慢性気管支炎」、「気管支炎」、「肺炎」を配置する。そして、第１生成部５１１は、関連度Ｂ１からＢ３の選択候補を配置した円の外側に関連度Ｃの選択候補である「肺癌」を配置する。
【００４９】
図４−１に戻る。ステップＳ１０の終了後、サーバー装置５００は、読影対象の医用画像データを医用画像表示装置４００に送信する（ステップＳ１１）。そして、医用画像表示装置４００は、サーバー装置５００から受信した医用画像データを表示する（ステップＳ１２）。図８〜図１１は、第１の実施形態に係る医用画像表示装置４００における表示画面の一例を示す図（１）〜（４）である。図８に示すように、医用画像表示装置４００は、表示部４０３において医用画像データ４０３ａを表示する。
【００５０】
そして、医用画像表示装置４００は、操作者からトリガの指定を受付ける（ステップＳ１３）。例えば、図８に示すように、操作者の指４０３ｂで医用画像データ上の任意の位置にタッチされた場合、医用画像表示装置４００は、操作者からトリガの指定を受付けたと判定する。なお、医用画像表示装置４００は、トリガの指定を受付けた場合、トリガの指定を受付けたことをサーバー装置５００に通知する。これにより、サーバー装置５００は、図４−２に示すように、医用画像表示装置４００にオブジェクトを送信する（ステップＳ１４）。
【００５１】
そして、医用画像表示装置４００は、オブジェクトを表示する（ステップＳ１５）。ここで、医用画像表示装置４００は、トリガの指定を受付けたと判定した位置を円の中心位置とするオブジェクト４０３ｃを表示する。例えば、図９に示すように、医用画像表示装置４００は、表示部４０３において医用画像データ４０３ａに重畳してオブジェクト４０３ｃを表示する。ここで、図９に示す例では、オブジェクト４０３ｃには、円において同心円の中心側に「動脈硬化症」が配置される。そして、この「動脈硬化症」の外側には「心筋梗塞」、「脳梗塞」、「出血」及び「血管破裂」が配置され、更に外側には「乳頭筋断裂」、「消化管出血」、「深部静脈血栓症」及び「心室瘤」が配置される。
【００５２】
続いて、医用画像表示装置４００は、選択候補を受付ける（ステップＳ１６）。例えば、図９に示すように、操作者の指４０３ｂでオブジェクト４０３ｃの選択候補のうち「出血」にタッチされた場合、医用画像表示装置４００は、操作者から選択候補を受付けたと判定する。そして、医用画像表示装置４００は、選択された選択候補である「出血」をサーバー装置５００に応答する（ステップＳ１７）。ステップＳ１７の終了後、医用画像表示装置４００は、ステップＳ２１に移行する。
【００５３】
サーバー装置５００は、医用画像表示装置４００から応答を受信する（ステップＳ１８）。そして、サーバー装置５００は、全ての要素についてオブジェクト生成処理を実行したか否かを判定する（ステップＳ１９）。ここで、サーバー装置５００は、全ての要素についてオブジェクト生成処理を実行したと判定した場合（ステップＳ１９、Ｙｅｓ）、ステップＳ２２に移行する。一方、サーバー装置５００は、全ての要素についてオブジェクト生成処理を実行したと判定しなかった場合（ステップＳ１９、Ｎｏ）、応答結果に応じて、１つ下位の階層の要素についてオブジェクト生成処理を実行する（ステップＳ２０）。例えば、サーバー装置５００は、「疾病の進行状況を示す程度情報」についてオブジェクトを生成する。
【００５４】
ここで、第１生成部５１１は、表示させたオブジェクトに対する応答部４１２からの応答結果に応じて、疾病の進行状況を示す程度情報についてオブジェクトを生成して医用画像表示装置４００に表示させる。例えば、サーバー装置５００は、選択された疾病に対応付けて記憶される程度情報を疾病ＤＢ５０１ａから特定する。そして、サーバー装置５００は、特手した程度情報を用いて、「疾病の進行状況を示す程度情報」についてオブジェクトを生成する。図７は、第１の実施形態に係る第１生成部５１１によって生成された疾病の進行状況を示す程度情報についてのオブジェクトの一例を示す図である。
【００５５】
図７では、図６に示すオブジェクトにおいて、疾病として肺癌が選択された場合を示す。第１生成部５１１は、疾病ＤＢ５０１ａを検索し、肺癌に対応付けて記憶される程度情報としてＴ因子を特定する。ここで、Ｔ因子は、腫瘍の進行度を示す。Ｔ因子は、例えば、癌の大きさや他の臓器への浸潤などからＴ１〜Ｔ４に分類される。Ｔ１からＴ４へと向かうに従って、腫瘍の進行度が高くなる。ここで、第１生成部５１１は、腫瘍の進行度が低い因子ほど読影依頼の関連度が高い選択候補として扱う。そして第１生成部５１１は、関連度が高い選択候補から順に中心側から外側へと配置してオブジェクトを生成する。例えば、図７に示すように、第１生成部５１１は、円において同心円の中心側に最も関連度の高い選択候補である「Ｔ１」を配置する。そして、第１生成部５１１は、「Ｔ１」を配置した円の外側に「Ｔ２」を配置する。同様にして、第１生成部５１１は、「Ｔ２」を配置した円の外側に「Ｔ３」を配置し、「Ｔ３」を配置した円の外側に「Ｔ４」を配置する。
【００５６】
図４−２に戻る。医用画像表示装置４００は、ステップＳ１７で応答を送信した後、オブジェクトを受信したか否かを判定する（ステップＳ２１）。ここで、医用画像表示装置４００は、オブジェクトを受信したと判定しなかった場合（ステップＳ２１、Ｎｏ）、ステップＳ２３に移行する。
【００５７】
一方、医用画像表示装置４００は、オブジェクトを受信したと判定した場合（ステップＳ２１、Ｙｅｓ）、ステップＳ１５に移行して選択候補を受付ける処理を実行する。例えば、図１０に示すように、医用画像表示装置４００は、表示部４０３において医用画像データ４０３ａに重畳して、「疾病の進行状況を示す程度情報」についてのオブジェクト４０３ｄを表示する。このオブジェクト４０３ｄは、オブジェクト４０３ｃにおいて、出血が選択されたことにより生成されたオブジェクトである。ここで、図１０に示す例では、オブジェクト４０３ｄには、円において同心円の中心側に「少量」が配置される。そして、この「少量」の外側には「多量」が配置される。なお、オブジェクト４０３ｄの中心位置は、オブジェクト４０３ｃにおいて選択された選択候補が配置されていた位置としてもよい。すなわち、上位の要素のオブジェクトで選択された選択候補の位置を、１つ下位の要素のオブジェクトの中心位置とするようにしてもよい。これにより、医用画像表示装置４００の操作者は、指の移動範囲を近傍領域に限定することができる。
【００５８】
続いて、医用画像表示装置４００は、選択候補を受付ける（ステップＳ１６）。例えば、図１０に示すように、操作者の指４０３ｂでオブジェクト４０３ｄの選択候補のうち「少量」にタッチされた場合、医用画像表示装置４００は、操作者から選択候補を受付けたと判定する。そして、医用画像表示装置４００は、選択された選択候補「少量」をサーバー装置５００に応答する（ステップＳ１７）。
【００５９】
サーバー装置５００は、ステップＳ１９で全ての要素についてオブジェクト生成処理を実行したと判定した場合、読影結果を生成する（ステップＳ２２）。例えば、サーバー装置５００は、「疾病」についてのオブジェクトから選択された選択候補が「出血」であり、「疾病の進行状況を示す程度情報」についてのオブジェクトから選択された選択候補が「少量」である場合、読影結果として、例えば、「出血が少量あります」を生成する。
【００６０】
また、例えば、サーバー装置５００は、「疾病」についてのオブジェクトから選択された選択候補が「急性気管支炎」であり、「疾病の進行状況を示す程度情報」についてのオブジェクトから選択された選択候補が「疑い」である場合、読影結果として、例えば、「急性気管支炎の疑いあり」を生成する。なお、サーバー装置５００は、生成した読影結果を医用画像表示装置４００に送信する。これにより、例えば、図１１に示すように、医用画像表示装置４００は、表示部４０３において医用画像データ４０３ａに重畳させて読影結果４０３ｅを表示する。なお、読影結果に対応付けて、診断部位を示す情報４０３ｆを更に表示するようにしてもよい。
【００６１】
医用画像表示装置４００は、サーバー装置５００から受信した読影結果を表示し、表示した読影結果の修正を操作者から受付けたか否かを判定する（ステップＳ２３）。医用画像表示装置４００は、読影結果の修正を操作者から受付けたと判定した場合（ステップＳ２３、Ｙｅｓ）、修正を受付ける（ステップＳ２４）。例えば、医用画像表示装置４００の操作者は、表示部４０３に表示された読影結果をタッチ操作で選択し、ソフトウェアキーボードで文字の入力や消去を行うことで読影結果を変更する。そして、医用画像表示装置４００は、修正内容をサーバー装置５００に送信する（ステップＳ２５）。一方、医用画像表示装置４００は、読影結果の修正を操作者から受付けたと判定しなかった場合（ステップＳ２３、Ｎｏ）、ステップＳ２８に移行する。
【００６２】
サーバー装置５００は、ステップＳ２２に続いて、読影結果に対する修正を受付けたか否かを判定する（ステップＳ２６）。サーバー装置５００は、読影結果に対する修正を受付けたと判定した場合（ステップＳ２６、Ｙｅｓ）、読影結果を修正し（ステップＳ２７）、ステップＳ２９に移行する。一方、サーバー装置５００は、読影結果に対する修正を受付けたと判定しなかった場合（ステップＳ２６、Ｎｏ）、ステップＳ２９に移行する。
【００６３】
医用画像表示装置４００は、ステップＳ２５の終了後、或いは、ステップＳ２３で修正を受付けなかった場合、読影終了をサーバー装置５００に送信する（ステップＳ２８）。そして、サーバー装置５００は、読影終了を受付けたか否かを判定する（ステップＳ２９）。ここで、サーバー装置５００は、読影終了を受付けたと判定しなかった場合（ステップＳ２９、Ｎｏ）、ステップＳ２６に移行する。一方、サーバー装置５００は、読影終了を受付けたと判定した場合（ステップＳ２９、Ｙｅｓ）、読影結果を依頼者側端末装置３００に送信する（ステップＳ３０）。そして、依頼者側端末装置３００は、読影結果を受信し（ステップＳ３１）、受信した読影結果を表示する（ステップＳ３２）。
【００６４】
上述したように、第１の実施形態によれば、読影結果の作成を効率化することができる。例えば、第１の実施形態に係る医用画像診断システムでは、サーバー装置５００が生成したオブジェクトを医用画像表示装置４００に表示させる。そして、医用画像表示装置４００の操作者は、ソフトウェアキーボードで所見を入力するのではなく、複数の選択候補を含んだオブジェクトの中から、読影によって適切な選択候補を例えばタッチ操作で選択する。この選択結果に応じて、サーバー装置５００は、読影結果を生成する。このように、第１の実施形態に係る医用画像診断システムによれば、読影結果の作成を効率化することが可能となる。
【００６５】
また、第１の実施形態によれば、ソフトウェアキーボードを表示するのではなく、医用画像データに重畳させてオブジェクトを表示する。このため医用画像データがソフトウェアキーボードで隠れることを回避することが可能である。また、この結果、医用画像表示装置４００の操作者は、医用画像データの視認性を確保することができる。これにより、第１の実施形態によれば、読影医による正確な読影を支援することが可能となる。
【００６６】
また、第１の実施形態に係るサーバー装置５００は、読影対象の医用画像データに付帯する患者情報から選択候補を決定する。すなわち、サーバー装置５００が生成するオブジェクトは、患者ごとに既往歴などを考慮したオブジェクトである。すなわち、第１の実施形態に係るサーバー装置５００は、患者にとって発症する可能性の高い疾病を選択候補とする患者に固有のオブジェクトを生成しやすくなる。このように、読影依頼との関連度が高い選択候補を含んだオブジェクトを生成することにより、第１の実施形態によれば、読影医による読影結果の作成を効率化することができる。
【００６７】
また、第１の実施形態に係るサーバー装置５００は、円において、関連度が高い選択候補から順に同心円の中心側から同心円の外側へと配置してオブジェクトを生成する。これにより、医用画像表示装置４００の操作者の指の移動距離を少なくすることができる。
【００６８】
（第１の実施形態の変形例）
上述した実施形態では、第１生成部５１１は、円において、関連度が高い選択候補から順に同心円の中心側から同心円の外側へと配置してオブジェクトを生成するものとして説明した。ところで、トリガの指定を受付けたと判定した位置や表示する選択候補の数によっては、複数の選択候補の全てを円形で表示できない場合がある。図１２は、複数の選択候補の全てを円形で表示できない一例を示す図である。図１２に示すように、医用画像表示装置４００は、表示部４０３において医用画像データ４０３ａに重畳して、「疾病」についてのオブジェクト４０３ｃを表示する。なお、オブジェクト４０３ｃでは、円において同心円の中心側に最も関連度の高い選択候補である「急性気管支炎」が配置され、「急性気管支炎」を配置した円の外側に選択候補である「慢性気管支炎」、「気管支炎」、「肺炎」が配置される。ここで、オブジェクトに含まれる選択候補のうち、「気管支炎」及び「肺炎」は、表示部４０３の外側に配置される。かかる場合、「気管支炎」及び「肺炎」は、表示部４０３に表示されず、医用画像表示装置４００の操作者は、「気管支炎」及び「肺炎」を選択することができない。
【００６９】
このようなことから、第１生成部５１１は、例えば、複数の選択候補の全てを円形で表示できない場合に、関連度に基づいて形状を変形させたオブジェクトを生成するようにしてもよい。図１３は、第１の実施形態の変形例を説明するための図（１）である。図１３に示すように、医用画像表示装置４００は、表示部４０３において医用画像データ４０３ａに重畳して、「疾病」についてのオブジェクト４０３ｃ１を表示する。ここで、オブジェクト４０３ｃ１では、円において同心円の中心側に最も関連度の高い選択候補である「急性気管支炎」が配置される。そして、「急性気管支炎」を配置した円の外側に選択候補である「慢性気管支炎」、「気管支炎」、「肺炎」が、円形の表示の角度を減らし、選択項目の配置位置とサイズとを比率を維持したまま縮小させて配置される。これにより、医用画像表示装置４００の操作者は、「急性気管支炎」、「慢性気管支炎」に加えて、「気管支炎」及び「肺炎」を選択することが可能となる。
【００７０】
また、医用画像表示装置４００にて、画面をタッチまたは選択した指・腕によって、指・腕の下にある円形の選択候補が見えにくくなる可能性がある。このようなことから、第１生成部５１１は、医用画像表示装置４００の操作者が使用する手の左右に応じて、形状を変形させたオブジェクトを生成するようにしてもよい。例えば、医用画像表示装置４００は、表示部４０３において圧力のかかる方向を特定することで、操作者が使用している手が右手であるか左手であるかを判定する。そして、医用画像表示装置４００は、判定結果をサーバー装置５００に送信する。これにより、サーバー装置５００は、操作者が選択した手に応じて、オブジェクトの形態を変更し、医用画像表示装置４００に表示させる。図１４は、第１の実施形態の変形例を説明するための図（２）である。図１４では、医用画像表示装置４００の操作者が右手で医用画像表示装置４００のタッチパネルを操作する場合について説明する。
【００７１】
図１４に示すように、医用画像表示装置４００は、表示部４０３において医用画像データ４０３ａに重畳して、「疾病」についてのオブジェクト４０３ｃ２を表示する。ここで、オブジェクト４０３ｃ２では、円において同心円の中心側に最も関連度の高い選択候補である「急性気管支炎」が配置される。そして、「急性気管支炎」を配置した円の外側に、選択候補である「慢性気管支炎」、「気管支炎」、「肺炎」が操作者の指によって隠されないように、円形の形状を２７０°などに調整して配置される。これにより、医用画像表示装置４００は、選択候補である「慢性気管支炎」、「気管支炎」、「肺炎」を操作者の指によって隠すことなく表示することが可能となる。なお、かかる場合でも、表示しているエリアの面積は、各選択候補の優先度に基づき決定される。
【００７２】
なお、医用画像表示装置４００が、表示部４０３において圧力のかかる方向を特定することで、操作者が使用している手が右手であるか左手であるかを判定する場合について説明したが、実施形態はこれに限定されるものではない。例えば、医用画像表示装置４００において、操作者が操作に使用する手が右手であるか左手であるかの選択を事前に受付け、選択された手が右手であるのか左手であるのかを示す情報をサーバー装置５００に送信するようにしてもよい。
【００７３】
また、第１生成部５１１は、疾病に対する選択候補が１種類である場合に、疾病に対するオブジェクトの外側に程度情報に対するオブジェクトを配置した複合型のオブジェクトを生成して医用画像表示装置４００に表示させてもよい。図１５は、第１の実施形態の変形例を説明するための図（３）である。図１５では、疾病の選択候補が肺癌のみになる場合について説明する。図１５に示すように、医用画像表示装置４００は、表示部４０３において医用画像データ４０３ａに重畳して、「疾病」と「疾病の進行状況を示す程度情報」とについての複合型のオブジェクト４０３ｃ３を表示する。ここで、オブジェクト４０３ｃ３では、円において同心円の中心側に「疾病」についての選択項目「肺癌」が配置される。そして、「肺癌」を配置した円の外側に「疾病の進行状況を示す程度情報」についての選択候補である「Ｔ１」、「Ｔ２」、「Ｔ３」及び「Ｔ４」が配置される。これにより、医用画像表示装置４００の操作者は、疾病と疾病の進行状況とを一度の操作で選択することが可能となる。
【００７４】
（第２の実施形態）
第１の実施形態では、サーバー装置５００がオブジェクトを生成し、生成したオブジェクトに含まれる複数の選択候補の全てを円形で表示できない場合に、関連度に基づいて形状を変形させる場合について説明した。また、第１の実施形態では、サーバー装置５００が、医用画像表示装置４００の操作者が使用する手の左右に応じて、形状を変形させたオブジェクトを生成する場合について説明した。ところで、サーバー装置５００で実行されるオブジェクトの形状を変形させる処理は、医用画像表示装置４００が実行してもよいものである。そこで、第２の実施形態では、医用画像表示装置４００が、サーバー装置５００によって生成されたオブジェクトの形状を変形させる場合について説明する。なお、第２の実施形態に係る医用画像診断システムの全体構成及び医用画像診断システムが備える各装置の構成は、表示制御部４１１の一部の機能が異なる点を除いて、図１に示した構成例と同様であるので、ここでは説明を省略する。
【００７５】
例えば、表示制御部４１１は、サーバー装置５００から受信したオブジェクトに含まれる複数の選択候補の全てを表示領域内に円形状で表示できない場合に、オブジェクトの形状を変形させるようにしてもよい。また、表示制御部４１１は、医用画像表示装置４００の操作者が使用する手の左右に応じて、サーバー装置５００から受信したオブジェクトの形状を変形させるようにしてもよい。このように、第２の実施形態によれば、読影結果の作成を効率化することができる。
【００７６】
（その他の実施形態）
実施形態は、上述した実施形態に限られるものではない。
【００７７】
（オブジェクトの形状）
また、上述した実施形態では、第１の生成部５１１は、円形のオブジェクトを生成するものとして説明したが、実施形態はこれに限定されるものではない。例えば、第１の生成部５１１は、矩形のオブジェクトを生成してもよい。かかる場合、第１の生成部５１１は、矩形において、関連度が高い選択候補から順に中心側から外側へと配置してオブジェクトを生成する。
【００７８】
（読影依頼）
上述した実施形態では、依頼する医師が、依頼文を添えて院外にいる読影医に読影を依頼する場合について説明したが実施形態はこれに限定されるものではない。例えば、依頼する医師が、依頼文を添えずに院外にいる読影医に読影を依頼してもよい。かかる場合、サーバー装置５００は、読影対象である医用画像の付帯情報に紐付けられた患者情報や検査情報を用いて、オブジェクトを生成する。かかる場合、第１生成部５１１は、例えば図５に示すステップＳ１０４からステップＳ１０６の処理を実行することでオブジェクトを生成する。すなわち、第１生成部５１１は、部位・検査が一致する疾病を関連度Ａの選択候補に決定する。そして、第１生成部５１１は、部位のみが一致する疾病を関連度Ｂの選択候補として決定する。続いて、第１生成部５１１は、関連度が高い選択候補から順に中心側から外側へと配置してオブジェクトを生成する。
【００７９】
また、上述した実施形態では、１つの医用画像データについて１つの読影結果が得られる場合について説明したが、実施形態はこれに限定されるものではない。例えば、１つの医用画像データについて複数の読影結果が得られるようにしてもよい。このような場合には、医用画像データに重畳させて複数の読影結果を表示する。また、かかる場合にも、読影結果と読影対象部位とを対応付けるようにしてもよい。例えば、いずれかの読影結果の選択を受付けた場合には、選択された読影結果と、この読影結果の読影対象部位とを対応付ける情報を更に表示する。例えば、読影対象部位を円形で囲って表示してもよいし、読影対象部位を矢印で示してもよい。
【００８０】
また、上述した実施形態では、要素が２つである場合について説明したが、実施形態はこれに限定されるものではない。例えば、要素は１つであってもよいし、３以上であってもよい。また、変数部分に予め選択候補が補充された複数の回答文のテンプレートを選択候補とするオブジェクトを生成してもよい。
【００８１】
（オブジェクトの表示位置）
上述した実施形態では、トリガとなるタッチ操作が行われた位置にオブジェクトを表示するものとして説明したが、実施形態はこれに限定されるものではない。例えば、事前に決められた所定の位置にオブジェクトを表示してもよい。
【００８２】
また、上述した実施形態では、医用画像データは、ＤＩＣＯＭ形式で管理されるものとして説明したが、実施形態はこれに限定されるものではない。医用画像データに検査情報や患者情報を対応付けることが可能であれば、例えば、ＨＩＳ（Hospital  Information  System）、ＲＩＳ（Radiology  Information  System）が導入されている場合にも、同様に適用される。
【００８３】
上述した実施形態では、医用画像表示装置４００は、例えば、タブレットなどの携帯端末であるものとして説明したが、実施形態はこれに限定されるものではない。例えば、医用画像表示装置４００は、タッチパネルを有する携帯電話機やタッチパネルを有するノート型のＰＣなどの携帯端末であってもよい。
【００８４】
（システム構成）
なお、上述した実施形態では、疾病ＤＢ５０１ａや患者ＤＢ５０１ｂがサーバー装置５００に含まれるものとして説明したが、実施形態はこれに限定されるものではない。例えば、疾病ＤＢ５０１ａや患者ＤＢ５０１ｂは、サーバー装置５００とは独立に設けられてもよい。また、医用画像保管装置２００は、サーバー装置５００が有する第１生成部５１１及び第２生成部５１２の機能を有するように構成されてもよい。また、医用画像表示装置４００は、サーバー装置５００が有する第１生成部５１１及び第２生成部５１２の機能を有するように構成されてもよい。
【００８５】
上記の実施形態の説明において、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。さらに、各装置にて行なわれる各処理機能は、その全部または任意の一部が、ＣＰＵおよび当該ＣＰＵにて解析実行されるプログラムにて実現され、或いは、ワイヤードロジックによるハードウェアとして実現され得る。
【００８６】
また、上記の実施形態で説明した制御方法は、予め用意された制御プログラムをパーソナルコンピュータやワークステーション等のコンピュータで実行することによって実現することができる。この制御プログラムは、インターネット等のネットワークを介して配布することができる。また、この制御プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【００８７】
以上説明した少なくともひとつの実施形態によれば、読影結果の作成を効率化することができる。
【００８８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８９】
４００  医用画像表示装置
４０１、５０１  記憶部
４０２、５０２  通信部
４０３  表示部
４１０、５１０  制御部
４１１  表示制御部
４１２  応答部
５００  サーバー装置
５０１ａ  疾病ＤＢ
５０１ｂ  患者ＤＢ
５１１  第１生成部
５１２  第２生成部
【図１】
0006726936.tif 000002
【図２】
0006726936.tif 000003
【図３】
0006726936.tif 000004
【図４−１】
0006726936.tif 000005
【図４−２】
0006726936.tif 000006
【図５】
0006726936.tif 000007
【図６】
0006726936.tif 000008
【図７】
0006726936.tif 000009
【図８】
0006726936.tif 000010
【図９】
0006726936.tif 000011
【図１０】
0006726936.tif 000012
【図１１】
0006726936.tif 000013
【図１２】
0006726936.tif 000014
【図１３】
0006726936.tif 000015
【図１４】
0006726936.tif 000016
【図１５】
0006726936.tif 000017